(57)【特許請求の範囲】
【請求項１】
四足のペットの胴部を包囲して保持可能な胴部保持部と、
前記ペットの胸部を保持可能な胸当て部と、
前記ペットの下腹部を保持可能な下腹当て部と、
前記胴部保持部、胸当て部及び下腹当て部によって、前記ペットを保持して持ち運ぶことが可能な持ち手と、
を備え、
前記胸当て部に、前記ペットの両肩を越えて背中に延びるストラップを設け、当該ストラップの自由端を前記持ち手に取付けたペット運搬用ハーネス。
【請求項２】
四足のペットの胴部を包囲して保持可能な胴部保持部と、
前記ペットの胸部を保持可能な胸当て部と、
前記ペットの下腹部を保持可能な下腹当て部と、
前記胴部保持部、胸当て部及び下腹当て部によって、前記ペットを保持して持ち運ぶことが可能な持ち手と、
を備え、
前記下腹当て部に、前記ペットの尻部を越えて背中に延びるストラップを設け、当該ストラップの自由端を前記持ち手に取付けたペット運搬用ハーネス。
【請求項３】
前記ストラップは、長さ調整可能である請求項１または請求項２記載のペット運搬用ハーネス。
【発明の詳細な説明】
【０００１】
【発明が属する技術分野】
本発明は、例えば、犬等の四足のペットを持ち運ぶのに好適に用いることのできるペット運搬用ハーネスに関する。
【０００２】
【従来の技術】
従来から、例えば、犬や猫等、飼い主等が持ち運べる程度の体重を有する四足のペットを持ち運ぶ時は、ペットが入り得る大きさのペット運搬用のかご（バッグ）等を使用している。この場合、かごの一の面に設けられた扉付きの入口からペットを入れて、前記扉に鍵を掛けるなどして、かごの上面に設けられた持ち手を持ってペットを運搬するのが一般的である。また、このようなかごを使用しない場合は、ペットを直接抱きかかえて持ち運んでいる。
【０００３】
【発明が解決しようとする課題】
しかしながら、前記かご等を使用してペットを持ち運ぶ場合、かごの上面に設けられた持ち手を持ってかごを持ち上げることになるため、体重が重いペットの持ち運びは困難である。また、ペットを散歩させた後、あるいは散歩させる前等に、ペットをかごに入れて持ち運ぶ必要がある場合、かごを携帯するのが面倒である。したがって、前もってペットを持ち運ぶ必要が無い場合は、かごを携帯しないことが多いため、突発的にペットを持ち運ばなければならなくなった場合に、適切な対処を行うことが困難である。
【０００４】
また、ペットの大きさに合わせたサイズのかごが必要となり、特に、大型犬の場合、かご自身の重さも大きくなり、より持ち運びが大変になると共に、かごを収納する広いスペースも必要となる。
【０００５】
さらにまた、持ち運びの際にかごが揺れると、かごの中でペットが意図しない方向に移動し、かごに体をぶつけてしまうこともある。
【０００６】
本発明は、このような従来の問題点を解決することを課題とするものであり、コンパクトで軽く、丈夫であり、携帯が簡単で、ペットを簡単、確実、安全に持ち運ぶことができるペット運搬用ハーネスを提供することを目的とする。
【０００７】
【課題を解決するための手段】
この目的を達成するため本発明は、四足のペットの胴部を包囲して保持可能な胴部保持部と、前記ペットの胸部を保持可能な胸当て部と、前記ペットの下腹部を保持可能な下腹当て部と、前記胴部保持部、胸当て部及び下腹当て部によって、前記ペットを保持して持ち運ぶことが可能な持ち手と、を備えたペット運搬用ハーネスを提供するものである。
【０００８】
この構成を備えたペット運搬用ハーネスは、胴部保持部、胸当て部及び下腹当て部によって、前記ペットを保持できるため、ペットを簡単に確実に、しかも安全に持ち運ぶことができる。
【０００９】
前記持ち手は、前記胴部保持部が前記ペットを包囲して保持した際に、当該ペットの背中側に位置する両端部からそれぞれ延出させることができる。
【００１０】
また、前記持ち手は、使用者が肩にかけてペット運搬用ハーネスを持ち運ぶことが可能な長さを有することができる。このようにすることで、ペットを一層持ち運び安くすることができ、ペットを持ち運ぶ人（使用者）の負担を低減させることができる。
【００１１】
また、本発明にかかるペット運搬用ハーネスは、前記胸当て部に、前記ペットの両肩を越えて背中に延びるストラップを設け、当該ストラップの自由端を前記持ち手に取付けることができる。
【００１２】
そしてまた、本発明にかかるペット運搬用ハーネスは、前記下腹当て部に、前記ペットの尻部を越えて背中に延びるストラップを設け、当該ストラップの自由端を前記持ち手に取付けることができる。
【００１３】
前記ストラップは、長さ調整可能に構成することができる。このようにすることで、ペットの大きさに合わせてストラップを最適な長さに調整できるため、胸当て部によってペットの胸部をより安定して保持することができ、また、下腹当て部によって、ペットの下腹部をより安定して保持することができる。すなわち、ペットの胸元から胴部、下腹部に至る、おなか側全体を無理なく支えることができるため、ペットにかかる負担が少なく、一層安定した状態でペットを持ち運ぶことができる。また、ペットの大きさに対する汎用性も向上する。
【００１４】
そしてまた、前記持ち手は、長さ調整可能に構成することもできる。このようにすることで、ペットを持ち運ぶ人の体型に合わせて持ち手を最適な長さに調整できる。したがって、例えば、持ち手をたすきがけして、ペットを持ち運ぶこともできる等、ペットをより一層簡単に確実に、しかも安全に持ち運ぶことができる。
【００１５】
前記胴部保持部は、前記ペットを包囲して保持した際に、当該ペットの背中側に位置する両端部を互いに連結する連結手段を有することができる。
【００１６】
また、前記連結手段は、前記両端部を互いに連結する位置を調整する調整手段を備えることができる。このようにすることで、ペットの大きさ（胸囲あるいは胴囲）に合わせて胴部保持部が包囲する範囲を調整することができ、ペットの大きさに対する汎用性が向上する。
【００１７】
また、本発明にかかるペット運搬用ハーネスは、全体を折り畳むあるいは丸める等して小さくまとめた際に、その形状を維持可能な固定手段をさらに備えることができる。このようにすることで、コンパクトに携帯することができる。
【００１８】
また、前記該胴部保持部、胸当て部、下腹当て部及び持ち手をナイロンから構成することができる。そしてまた、前記ストラップもナイロンから構成することができる。このようにすることで、よりコンパクトで軽く、丈夫で、簡単に携帯することができる。
【００１９】
【発明の実施の形態】
次に、本発明の好適な実施の形態にかかるペット運搬用ハーネスについて図面を参照して説明する。
【００２０】
なお、本実施の形態では、ペット運搬用ハーネスを犬に適用した場合について説明する。また、犬に装着した際に、犬に接触する側を内側、その反対面を外側として説明する。
【００２１】
図１は、本実施の形態にかかるペット運搬用ハーネスを広げた状態の内側を示す平面図、図２は、図１の外側を示す平面図、図３は、本実施の形態にかかるペット運搬用ハーネスを犬に装着した状態を示す側面図、図４は、本実施の形態にかかるペット運搬用ハーネスを犬に装着した状態を示す正面図、図５は、本実施の形態にかかるペット運搬用ハーネスが装着された犬を持ち運ぶ状態を示す模式図、図６は、本実施の形態にかかるペット運搬用ハーネスをコンパクトにまとめた状態を示す斜視図である。
【００２２】
図１ないし図６に示すように、本実施の形態にかかるペット運搬用ハーネス１は、犬２の胴部を包囲して保持可能な略長方形の胴部保持部１１と、胴部保持部１１の一方の長側辺部１２Ａの略中央部に形成され、犬２の胸部を保持可能な胸当て部１３と、胴部保持部１１の他方の長側辺部１２Ｂの略中央部に形成され、犬２下腹部を保持可能な下腹当て部１４と、を備えている。
【００２３】
この胴部保持部１１、胸当て部１３及び下腹当て部１４は、一体に形成されていてもよく、別々に製造して連結してもよい。
【００２４】
胴部保持部１１は、ペット運搬用ハーネス１を犬２に装着した際に、長側辺部１２Ａが犬２の頭側に、長側辺部１２Ｂが犬の尻部側になるように装着され、短側辺部１５Ａ及び１５Ｂが犬２の背中側に位置するように、筒状に犬２の胴部を保持する。
【００２５】
胴部保持部１１の短側辺部１５Ａ及び１５Ｂには、胴部保持部１１、胸当て部１３及び下腹当て部１４によって、犬２を保持して持ち運ぶことが可能な持ち手１６Ａ及び１６Ｂが取付けられている。具体的には、この持ち手１６Ａ及び１６Ｂは、胴部保持部１１の外側面の長側辺部１２Ａ及び１２Ｂに沿って縫い付けられ、さらに短側辺部１５Ａ及び１５Ｂから延出してループ状をなしている。この持ち手１６Ａ及び１６Ｂは、特に図５に示すように、持ち手１６Ａ及び１６Ｂを肩に掛けてペット運搬用ハーネス１が装着された犬２を持ち運べる長さで前記ループを構成している。
【００２６】
なお、この持ち手１６Ａ及び１６Ｂには、例えば、人５０がこれを肩にかけたり、手で持った際に接触する部分に、一般的に使用される滑り止め（図示せず）や、圧力を和らげるパッド（図示せず）等を設けてもよい。
【００２７】
また、胴部保持部１１の短側辺部１５Ａ及び１５Ｂには、胴部保持部１１を筒状にした際に、短側辺部１５Ａと短側辺部１５Ｂを互いに連結する連結部材１７Ａ及び１７Ｂと、連結部材１８Ａ及び１８Ｂが取付けられている。すなわち、連結部材１７Ａと連結部材１７Ｂとが互いに着脱可能に係合して連結され、連結部材１８Ａと連結部材１８Ｂとが互いに着脱可能に係合して連結される。この連結部材１７Ａ及び１８Ａには、その長さを調整する調整具１９及び２０が各々設けられている。これにより、犬２の胸囲あるいは胴囲等の大きさに合わせて胴部保持部１１が包囲する範囲を調整する（筒状にした胴部保持部１１の直径を変更する）ことができ、犬２の大きさに対する汎用性を向上させることができる。
【００２８】
胸当て部１３は、胴部保持部１１の長側辺部１２Ａの略中央部から延出した状態で取付けられている。この胸当て部１３は、犬２の胸部を無理なく安定した状態で保持可能な大きさを備えている。胸当て部１３の、胴部保持部１１に固定された側とは反対側の側辺部２１には、ストラップ２２Ａ及び２２Ｂが取付けられている。具体的には、このストラップ２２Ａ及び２２Ｂは、胸当て部１３の外側面の側辺部２１に沿って縫い付けられ、さらに胸当て部１３の両側から延出している。ストラップ２２Ａ及び２２Ｂには、長さ調整具２３Ａ及び２３Ｂが設けられており、その長さを変更可能な状態で、持ち手１６Ａ及び１６Ｂに各々取付けられている。この構成により、犬２の大きさに合わせてストラップ２２Ａ及び２２Ｂを最適な長さに調整できるため、胸当て部１３によって犬２の胸部をより安定して保持することができる。
【００２９】
また、胸当て部１３の外側面の略中央部には、ペット運搬用ハーネス１を折り畳む、あるいは丸める等して小さくまとめた際に、その形状を維持できるよう、固定することができるゴムループ２７が設けられている。
【００３０】
下腹当て部１４は、胴部保持部１１の長側辺部１２Ｂの略中央部から延出した状態で取付けられている。この下腹当て部１４は、犬２の下腹部を無理なく安定した状態で保持可能な大きさを備えている。下腹当て部１４の、胴部保持部１１に固定された側とは反対側の側辺部２１には、ストラップ２５Ａ及び２５Ｂが取付けられている。具体的には、このストラップ２５Ａ及び２５Ｂは、下腹当て部１４の外側面の側辺部２４に沿って縫い付けられ、さらに下腹当て部１４の両側から延出している。ストラップ２５Ａ及び２５Ｂには、長さ調整具２６Ａ及び２６Ｂが設けられており、その長さを変更可能な状態で、持ち手１６Ａ及び１６Ｂに各々取付けられている。この構成により、犬２の大きさに合わせてストラップ２５Ａ及び２５Ｂを最適な長さに調整できるため、下腹当て部１４によって犬２の下腹部をより安定して保持することができる。
【００３１】
なお、本実施の形態では、胴部保持部１１、胸当て部１３、下腹当て部１４、持ち手１６Ａ及び１６Ｂ、ストラップ２２Ａ、２２Ｂ、２５Ａ、２５Ｂをナイロンで構成した。
【００３２】
次に、本実施の形態にかかるペット運搬用ハーネス１の具体的動作について説明する。
【００３３】
ペット運搬用ハーネス１は、犬２を持ち運ぶ必要がある、あらゆる場合に、好適に使用することができる。例えば、アウトドア等で犬２が自力では行けないような地形に出くわした時に、安全な場所まで犬２を持ち運ぶために好適に使用することができる。また、足腰が弱ってしまったり、病気で階段の昇り降りが困難になってしまったり、怪我をした犬２を持ち運ぶために好適に使用することができる。そしてまた、寝たきりの犬２の通院時、家から自動車等までの短距離移動にも好適に使用することができる。
【００３４】
犬２にペット運搬用ハーネス１を装着するには、先ず、図１に示す状態で、胴部保持部１１、胸当て部１３、ストラップ２２Ａ及び持ち手１６Ａとで囲まれた空間ＦＬに犬２の前左足を、胴部保持部１１、胸当て部１３、ストラップ２２Ｂ及び持ち手１６Ｂとで囲まれた空間ＦＲに犬２の前右足を通す。また、胴部保持部１１、下腹当て部１４、ストラップ２５Ａ及び持ち手１６Ａとで囲まれた空間ＨＬに犬２の後ろ左足を、胴部保持部１１、下腹当て部１４、ストラップ２５Ｂ及び持ち手１６Ｂとで囲まれた空間ＨＲに犬２の後ろ右足を通す。
【００３５】
次に、胴部保持部１１の短側辺部１５Ａ及び１５Ｂが犬２の背中側に来るように胴部保持部１１を筒状にして犬２を巻き込むようにし、犬２の胸囲または胴囲に合わせて、連結部材１７Ａ及び１８Ａの長さを調整具１９及び２０によって仮調整する。
【００３６】
次いで、連結部材１７Ａと連結部材１７Ｂを係合させて連結し、また、連結部材１８Ａと連結部材１８Ｂを係合させて、胴部保持部１１の短側辺部１５Ａ及び１５Ｂを連結する。必要に応じて、調整具１９及び２０によって、連結部材１７Ａ及び１８Ａの長さを再び調整し、胴部保持部１１を犬２の胴部に確実にフィットさせる。
【００３７】
次に、調整具２３Ａ及び２３Ｂによってストラップ２２Ａ及び２２Ｂの長さを調整し、胸当て部１３を犬２の胸部に確実にフィットさせる。
【００３８】
次いで、調整具２６Ａ及び２６Ｂによってストラップ２５Ａ及び２５Ｂの長さを調整し、下腹当て部１４を犬２の下腹部に確実にフィットさせる。なお、下腹当て部１４を胸当て部１３より先に、犬２にフィットさせてもよい。
【００３９】
このようにして、図３に示すように、ペット運搬用ハーネス１を犬２に装着させる。この時、犬２は、胸元から胴部、下腹部に至る、おなか側全体という広範囲が、ペット運搬用ハーネス１の所定部分によって無理なく支えられる。このため、犬２を持ち運ぶ際に、犬２にかかる負担が少なく、安定した状態で持ち運ぶことができる。
【００４０】
ペット運搬用ハーネス１が装着された犬２を人５０が持ち運ぶ際は、例えば、図５に示すように、持ち手１６Ａ及び１６Ｂを肩から下げてもよく、また、単に持ち手１６Ａ及び１６Ｂを手で持って運ぶ等、任意の方法を採用することができる。例えば、図７に示すように、持ち手１６Ａ及び１６Ｂを肩にたすきかけした状態で持ち運ぶこともできる。この場合は、持ち手１６Ａ及び１６Ｂが、たすきがけできる程度の長さであることが必要がある。あるいは、持ち手１６Ａ及び１６Ｂに、ストラップ２２Ａ及び２２Ｂ、あるいはストラップ２５Ａ及び２５Ｂに設けたような長さ調整可能な調整具を取り付けて、持ち手１６Ａ及び１６Ｂの長さを適宜調整するようにしてもよい。
【００４１】
このように、犬２に装着したペット運搬用ハーネス１を、ショルダーバッグのように肩にかける、あるいは、肩にたすき掛けすると、ある程度の重量があっても、無理なく持ち運ぶことができる。
【００４２】
また、ペット運搬用ハーネス１を犬２に装着した状態で、人５０が持ち手１６Ａ及び１６Ｂを把持し、この犬２を歩かせることも可能である。
【００４３】
そしてまた、ペット運搬用ハーネス１にロープ等を連結して犬２を引き上げることもできる。
【００４４】
犬２からペット運搬用ハーネス１を取外す際には、先ず、調整具２３Ａ及び３２Ｂにより、ストラップ２２Ａ及び２２Ｂの長さを適宜延ばして、犬２に対する装着を緩める。同様に、調整具２３Ａ及び３２Ｂにより、ストラップ２２Ａ及び２２Ｂの長さを適宜延ばして犬２に対する装着を緩める。次に、連結部材１７Ａ及び１７Ｂの係合、及び連結部材１８Ａ及び１８Ｂの係合を解除し、犬２からペット運搬用ハーネス１を取外す。
【００４５】
使用しないペット運搬用ハーネス１は、図１に示す状態で、下腹当て部１４側から胸当て部１３側に向けてまるめた（あるいは折り畳んだ）後、その両端部をゴムループ２７でとめれば、コンパクトに収納することができ、簡単に邪魔になることなく携帯できる。また、ペット運搬用ハーネス１は、ナイロン製であることから、軽量かつ丈夫である。
【００４６】
なお、本実施の形態では、四足のペットとして犬について説明したが、これに限らず、本発明にかかるペット運搬用ハーネスは、例えば、猫等、飼い主等が持ち運べる程度の体重を有する四足のペットであれば、種々の動物に使用することができる。
【００４７】
また、本実施の形態では、ナイロン製のペット運搬用ハーネスについて説明したが、これに限らず、四足のペットに装着して、ペットに不必要な負担がかかることがなく、かつ、ペットを持ち運ぶために支障がない強度を備えていれば、他の素材から構成してよいことは勿論である。
【００４８】
【発明の効果】
以上説明したように本発明にかかるペット運搬用ハーネスは、胸当て部、胴部保持部及び下腹当て部によって、ペットの胸元から胴部、下腹部に至るおなか側全体を無理なく支えることができるため、ペットにかかる負担が少なく、安定した状態でペットを簡単かつ安全に持ち運ぶことができる。
【図面の簡単な説明】
【図１】本発明の実施の形態にかかるペット運搬用ハーネスを広げた状態の内側を示す平面図である。
【図２】図１の外側を示す平面図である。
【図３】本発明の実施の形態にかかるペット運搬用ハーネスを犬に装着した状態を示す側面図である。
【図４】本発明の実施の形態にかかるペット運搬用ハーネスを犬に装着した状態を示す正面図である。
【図５】本発明の実施の形態にかかるペット運搬用ハーネスが装着された犬を持ち運ぶ状態を示す模式図である。
【図６】本発明の実施の形態にかかるペット運搬用ハーネスをコンパクトにまとめた状態を示す斜視図である。
【図７】本発明の他の実施の形態にかかるペット運搬用ハーネスが装着された犬を持ち運ぶ状態を示す模式図である。
【符号の説明】
１    ペット運搬用ハーネス
２    犬
１１    胴部保持部
１３    胸当て部
１４    下腹当て部
１６Ａ、１６Ｂ    持ち手
１７Ａ、１７Ｂ、１８Ａ、１８Ｂ    連結部材
１９、２０、２６Ａ、２６Ｂ    調整具
２２Ａ、２２Ｂ、２５Ａ、２５Ｂ    ストラップ
２７    ゴムループ
５０    人
【図１】
0003931095.tif 000002
【図２】
0003931095.tif 000003
【図３】
0003931095.tif 000004
【図４】
0003931095.tif 000005
【図５】
0003931095.tif 000006
【図６】
0003931095.tif 000007
【図７】
0003931095.tif 000008